【手続補正書】
【提出日】令和2年3月23日(2020.3.23)
【手続補正１】
【補正対象書類名】特許請求の範囲
【補正対象項目名】全文
【補正方法】変更
【補正の内容】
【特許請求の範囲】
【請求項１】
互いに交差する上下方向と左右方向と前後方向とを有し、
前記上下方向に沿って設けられ、股下部にて前後に折り曲げられた吸収性本体と、
前記左右方向に沿って設けられ、前側において前記吸収性本体の前記上下方向の前側上端部の非肌側に接合された前側帯部材と、
前記前側帯部材とは別体として前記左右方向に沿って設けられ、後側において前記吸収性本体の前記上下方向の後側上端部の非肌側に接合された後側帯部材と、
を有し、
前記左右方向において前記前側帯部材の両端部と前記後側帯部材の両端部とが互いに接合されている吸収性物品であって、
前記吸収性本体は、液吸収性の吸収性コアと、前記吸収性コアよりも非肌側に配置された液不透過性の防漏シートとを備え、
前側及び後側の少なくとも一方側において、前記防漏シートの非肌側面にメイングラフィックが設けられており、
前記吸収性本体が前記上下方向及び前記左右方向に伸長された状態において、前記メイングラフィックの面積は、前記一方側の前記非肌側面の面積の４０％以上であり、かつ、前記一方側の帯部材と前記メイングラフィックとが重複する部分の面積は、前記メイングラフィックの面積の５０％以上であり、
前記メイングラフィックのうちの前記一方側の帯部材と重複する部分は、前記一方側の帯部材を透かして視認可能である
ことを特徴とする吸収性物品。
【請求項２】
請求項１に記載の吸収性物品であって、
前記メイングラフィックは、
前記吸収性本体と前記一方側の帯部材とが重複している領域と、前記吸収性本体と前記一方側の帯部材とが重複していない領域との境界を跨いで配置されている、ことを特徴とする吸収性物品。
【請求項３】
請求項１または２に記載の吸収性物品であって、
前記前側帯部材及び前記後側帯部材は、それぞれ肌側不織布と非肌側不織布とを有し、
前記肌側不織布と前記非肌側不織布とは帯部材接合部を介して厚さ方向に重ねて接合されており、
前記メイングラフィックの少なくとも一部は、前記帯部材接合部が設けられている領域と重複していない、ことを特徴とする吸収性物品。
【請求項４】
請求項１〜３のいずれか１項に記載の吸収性物品であって、
前記吸収性本体は前記防漏シートの非肌側に外装シートを有し、
前記前側帯部材及び前記後側帯部材を形成している不織布の坪量は、
前記外装シートを形成している不織布の坪量よりも大きい、ことを特徴とする吸収性物品。
【請求項５】
請求項１〜４のいずれか１項に記載の吸収性物品であって、
前記前側帯部材及び前記後側帯部材は、前記左右方向に伸縮する胴回り弾性部材をそれぞれ有し、
前記メイングラフィックの少なくとも一部は、前記胴回り弾性部材による張力が作用している領域と重複している、ことを特徴とする吸収性物品。
【請求項６】
請求項１〜５のいずれか１項に記載の吸収性物品であって、
前記前側帯部材及び前記後側帯部材は、前記上下方向に沿った複数の帯状接合部が前記左右方向に所定の間隔で配置された本体接合部を介してそれぞれ前記吸収性本体と接合されており、
前記メイングラフィックの少なくとも一部は、前記本体接合部が設けられている領域と重複する、ことを特徴とする吸収性物品。
【請求項７】
請求項１〜６のいずれか１項に記載の吸収性物品であって、
前記吸収性本体の後側に、後側メイングラフィックが設けられている、ことを特徴とする吸収性物品。
【請求項８】
請求項１〜７のいずれか１項に記載の吸収性物品であって、
前記吸収性本体の前側に、前側メイングラフィックが設けられ、前記吸収性本体の後側に、後側メイングラフィックが設けられており、
前記上下方向において、前記前側メイングラフィックの中央位置は、前記後側メイングラフィックの中央位置よりも高い、ことを特徴とする吸収性物品。
【請求項９】
請求項８に記載の吸収性物品であって、
前記前側メイングラフィックの面積は、前記後側メイングラフィックの面積よりも小さい、ことを特徴とする吸収性物品。
【請求項１０】
請求項８または９に記載の吸収性物品であって、
前記前側メイングラフィックと前記前側帯部材とが重複する部分の面積は、前記後側メイングラフィックと前記後側帯部材とが重複する部分の面積よりも小さい、ことを特徴とする吸収性物品。
【請求項１１】
請求項１〜１０のいずれか１項に記載の吸収性物品であって、
前記メイングラフィックと前記吸収性本体の前記一方側の面とが重複する部分における前記メイングラフィックの印刷階調値の平均と、
前記メイングラフィックと前記吸収性本体の前記一方側の面とが重複しない部分における前記メイングラフィックの前記印刷階調値の平均とが等しい、ことを特徴とする吸収性物品。
【請求項１２】
請求項１〜１１のいずれか１項に記載の吸収性物品であって、
前記メイングラフィックの外形を形作る輪郭線の太さは、３ｍｍ以上である、ことを特徴とする吸収性物品。
【請求項１３】
請求項１〜１２のいずれか１項に記載の吸収性物品であって、
前記メイングラフィックは、前記吸収性物品の製品パッケージに表示されたキャラクターと同じ図柄である、ことを特徴とする吸収性物品。
【請求項１４】
請求項１〜１３のいずれか１項に記載の吸収性物品であって、
前記上下方向において、前記吸収性本体の後側上端の位置が前記吸収性本体の前側上端の位置よりも高い、ことを特徴とする吸収性物品。
【請求項１５】
請求項１〜１４のいずれか１項に記載の吸収性物品であって、
前記吸収性本体には、水分と接触することにより色が変化するインジケーターが、前記上下方向に沿って設けられており、
前記上下方向において、前記吸収性本体の前側に配置されている前記インジケーターの長さは、前記吸収性本体の後側に配置されている前記インジケーターの長さよりも長い、ことを特徴とする吸収性物品。
【請求項１６】
請求項１５に記載の吸収性物品であって、
前記吸収性本体の前側に、前側メイングラフィックが設けられ、前記吸収性本体の後側に、後側メイングラフィックが設けられており、
前記前側メイングラフィックと前記インジケーターとが重複する部分の面積は、前記後側メイングラフィックと前記インジケーターとが重複する部分の面積よりも大きい、ことを特徴とする吸収性物品。
【請求項１７】
請求項１５または１６に記載の吸収性物品であって、
前記吸収性本体の後側には、前記インジケーターが配置されていない、ことを特徴とする吸収性物品。
【請求項１８】
請求項１６に記載の吸収性物品であって、
前記後側メイングラフィックと前記インジケーターとは重複していない、ことを特徴とする吸収性物品。
【手続補正２】
【補正対象書類名】明細書
【補正対象項目名】０００７
【補正方法】変更
【補正の内容】
【０００７】
互いに交差する上下方向と左右方向と前後方向とを有し、
前記上下方向に沿って設けられ、股下部にて前後に折り曲げられた吸収性本体と、
前記左右方向に沿って設けられ、前側において前記吸収性本体の前記上下方向の前側上端部の非肌側に接合された前側帯部材と、
前記前側帯部材とは別体として前記左右方向に沿って設けられ、後側において前記吸収性本体の前記上下方向の後側上端部の非肌側に接合された後側帯部材と、
を有し、
前記左右方向において前記前側帯部材の両端部と前記後側帯部材の両端部とが互いに接合されている吸収性物品であって、
前記吸収性本体は、液吸収性の吸収性コアと、前記吸収性コアよりも非肌側に配置された液不透過性の防漏シートとを備え、
前側及び後側の少なくとも一方側において、前記防漏シートの非肌側面にメイングラフィックが設けられており、
前記吸収性本体が前記上下方向及び前記左右方向に伸長された状態において、前記メイングラフィックの面積は、前記一方側の前記非肌側面の面積の４０％以上であり、かつ、前記一方側の帯部材と前記メイングラフィックとが重複する部分の面積は、前記メイングラフィックの面積の５０％以上であり、
前記メイングラフィックのうちの前記一方側の帯部材と重複する部分は、前記一方側の帯部材を透かして視認可能である
ことを特徴とする吸収性物品。